(57)【要約】【課題】洗浄液の飛散を抑制することが可能な口腔洗浄装置を提供する。【解決手段】口腔洗浄装置は、口腔洗浄用の洗浄液を貯水する貯水タンクを備える洗浄器本体部、ノズル把持部２１および噴射ノズル部２２を備えるノズル本体部２０、および噴射ノズル部２２からの噴射を駆動する駆動部６０を有する。口腔洗浄装置は、貯水タンク内に形成されたタンク内電極４０およびノズル把持部２１に形成された把持部電極４１を有する。駆動部６０は、タンク内電極４０と把持部電極４１との間の電極間抵抗の変化に応じて、駆動部６０を制御する。【選択図】図５
2014030547.tif 000002
【特許請求の範囲】
【請求項１】
口腔洗浄用の洗浄液を貯水する貯水タンクと、
ノズル把持部および噴射ノズル部を有し、前記噴射ノズル部から前記洗浄液を噴射するノズル本体部と、
前記貯水タンク内に形成されたタンク内電極と、
前記ノズル把持部に形成された把持部電極と、
前記ノズル本体部を駆動する機能部分であって、前記タンク内電極と前記把持部電極との間の電極間抵抗の変化に応じて、前記ノズル本体部の駆動に関する状態である駆動関連状態が変化する駆動部と
を備える口腔洗浄装置。
【請求項２】
前記噴射ノズル部は、導電性の先端部を有する
請求項１に記載の口腔洗浄装置。
【請求項３】
口腔洗浄用の洗浄液を貯水する貯水タンクと、
ノズル把持部および噴射ノズル部を有し、前記噴射ノズル部から前記洗浄液を噴射するノズル本体部と、
前記噴射ノズル部に形成された噴射ノズル部電極と、
前記ノズル把持部に形成された把持部電極と、
前記ノズル本体部を駆動する機能部分であって、前記噴射ノズル部電極と前記把持部電極との間の電極間抵抗の変化に応じて、前記ノズル本体部の駆動に関する状態である駆動関連状態が変化する駆動部と
を備える口腔洗浄装置。
【請求項４】
前記口腔洗浄装置は、前記駆動部を制御する制御部、および前記電極間抵抗の変化を検知する検知部を有し、
前記制御部は、前記検知部の検知結果応じて前記駆動部を制御する
請求項１〜３のいずれか一項に記載の口腔洗浄装置。
【請求項５】
前記駆動関連状態は、口腔洗浄時水量を前記噴射ノズル部に送水する洗浄駆動状態、および前記口腔洗浄時水量よりも少ない前置洗浄時水量を前記噴射ノズル部に送水する前置駆動状態を有し、
前記駆動部は、前記電極間抵抗の変化に応じて、前記洗浄駆動状態、および前記前置駆動状態が変化する
請求項１〜４のいずれか一項に記載の口腔洗浄装置。
【請求項６】
前記口腔洗浄装置は、タイマーを有し、
前記駆動部は、前記電極間抵抗の変化に応じて、前記駆動関連状態が前記洗浄駆動状態を形成し、
前記駆動部は、前記タイマーの出力に応じて前記洗浄駆動状態の連続動作時間を制御する
請求項５に記載の口腔洗浄装置。
【発明の詳細な説明】
【技術分野】
【０００１】
本発明は、口腔洗浄装置に関する。
【背景技術】
【０００２】
従来の口腔洗浄装置は、口腔洗浄装置本体部に電源スイッチを有する。使用者は、口腔洗浄装置を利用して口腔内を洗浄するとき、電源スイッチがオフの状態において噴射ノズルを口腔内に挿入する。使用者は、噴射ノズルを口腔内に挿入した後、口腔洗浄装置本体部の電源スイッチをオフからオンに切り替える。なお、特許文献１は、従来の口腔洗浄装置の一例を開示している。
【先行技術文献】
【特許文献】
【０００３】
【特許文献１】特開平１０−３３５７１号公報
【発明の概要】
【発明が解決しようとする課題】
【０００４】
従来の口腔洗浄装置によれば、使用者は、噴射ノズルを口腔内に挿入した後、口腔洗浄装置本体部に視線を移して電源スイッチを切り替える。このため、噴射ノズルが口腔内に挿入した時の位置からずれた状態で噴射が開始され、噴射ノズルから噴射された洗浄液が飛散するおそれがある。
【０００５】
本発明は、以上の背景をもとに創作されたものであり、洗浄液の飛散を抑制することが可能な口腔洗浄装置を提供することを目的とする。
【課題を解決するための手段】
【０００６】
（１）第１の手段は、「口腔洗浄用の洗浄液を貯水する貯水タンクと、ノズル把持部および噴射ノズル部を有し、前記噴射ノズル部から前記洗浄液を噴射するノズル本体部と、前記貯水タンク内に形成されたタンク内電極と、前記ノズル把持部に形成された把持部電極と、前記ノズル本体部を駆動する機能部分であって、前記タンク内電極と前記把持部電極との間の電極間抵抗の変化に応じて、前記ノズル本体部の駆動に関する状態である駆動関連状態が変化する駆動部とを備える口腔洗浄装置」を含む。
【０００７】
（２）第２の手段は、「前記噴射ノズル部は、導電性の先端部を有する口腔洗浄装置」を含む。
（３）第３の手段は、「口腔洗浄用の洗浄液を貯水する貯水タンクと、ノズル把持部および噴射ノズル部を有し、前記噴射ノズル部から前記洗浄液を噴射するノズル本体部と、前記噴射ノズル部に形成された噴射ノズル部電極と、前記ノズル把持部に形成された把持部電極と、前記ノズル本体部を駆動する機能部分であって、前記噴射ノズル部電極と前記把持部電極との間の電極間抵抗の変化に応じて、前記ノズル本体部の駆動に関する状態である駆動関連状態が変化する駆動部とを備える口腔洗浄装置」を含む。
【０００８】
（４）第４の手段は、「前記口腔洗浄装置は、前記駆動部を制御する制御部、および前記電極間抵抗の変化を検知する検知部を有し、前記制御部は、前記検知部の検知結果応じて前記駆動部を制御する口腔洗浄装置」を含む。
【０００９】
（５）第５の手段は、「前記駆動関連状態は、口腔洗浄時水量を前記噴射ノズル部に送水する洗浄駆動状態、および前記口腔洗浄時水量よりも少ない前置洗浄時水量を前記噴射ノズル部に送水する前置駆動状態を有し、前記駆動部は、前記電極間抵抗の変化に応じて、前記洗浄駆動状態、および前記前置駆動状態が変化する口腔洗浄装置」を含む。
【００１０】
（６）第６の手段は、「前記口腔洗浄装置は、タイマーを有し、前記駆動部は、前記電極間抵抗の変化に応じて、前記駆動関連状態が前記洗浄駆動状態を形成し、前記駆動部は、前記タイマーの出力に応じて前記洗浄駆動状態の連続動作時間を制御する口腔洗浄装置」を含む。
【発明の効果】
【００１１】
本発明は、洗浄液の飛散を抑制することが可能な口腔洗浄装置を提供する。
【図面の簡単な説明】
【００１２】
【図１】第１実施形態の口腔洗浄器の構成図。
【図２】第１実施形態の口腔洗浄器のチューブおよび通電体の断面図。
【図３】第１実施形態の口腔洗浄器のノズル本体部の断面図。
【図４】第１実施形態の口腔洗浄器の貯水タンクの断面図。
【図５】第１実施形態の口腔洗浄器の電気系の構成を示すブロック図。
【図６】第２実施形態の口腔洗浄器のノズル本体部の部分断面図。
【図７】第２実施形態の口腔洗浄器の電気系の構成を示すブロック図。
【図８】第３実施形態の口腔洗浄器のノズル本体部の部分断面図。
【図９】第３実施形態の口腔洗浄器の電気系の構成を示すブロック図。
【図１０】その他の実施形態のチューブおよび通電体の断面図であり、（ａ）は通電体埋込型の断面図、（ｂ）は通電体同心円状埋込型の断面図、（ｃ）は通電体並走型の断面図。
【図１１】その他の実施形態のノズル本体部の断面図。
【発明を実施するための形態】
【００１３】
（第１実施形態）
図１を参照して、口腔洗浄装置１の構成について説明する。
口腔洗浄装置１は、洗浄器本体部１０およびノズル本体部２０を有する。
【００１４】
洗浄器本体部１０は、ポンプ１１、タイマー１２、電源部１３、検知部３０、制御部５０、駆動部６０、および貯水タンク７０を有する。電源部１３は、二次電池１４の充電制御を行う。
【００１５】
ノズル本体部２０は、ノズル把持部２１および噴射ノズル部２２を有する。ノズル把持部２１は、把持部電極４１を有する。
ノズル本体部２０は、チューブ７３および通電体４３により洗浄器本体部１０内のポンプ１１および検知部３０と接続される。
【００１６】
図２は、チューブ７３および通電体４３の構成を示す。通電体４３は、チューブ７３の外周部に形成された通電体埋込部７５内に埋め込まれている。
図３は、ノズル本体部２０の構成を示す。
【００１７】
ノズル本体部２０は、ノズル内流路２３を有する。ノズル内流路２３は、ブッシング２４および第１Ｏリング２５によりチューブ７３と固定されている。ノズル把持部２１は、把持部電極４１を有する。把持部電極４１は、ブッシング２４および第１Ｏリング２５により通電体４３と接続される。噴射ノズル部２２は、ノズル把持部２１に取り付けられる。ノズル本体部２０および噴射ノズル部２２は、耐熱性プラスチックにより形成される。
【００１８】
図４は、貯水タンク７０の構成を示している。
貯水タンク７０は、貯水タンク蓋７１を有する。貯水タンク７０は、タンク内電極４０を有する。チューブ７３および通電体４３は、固定具７２および第２Ｏリング７４により貯水タンク７０に接続される。通電体４３は、タンク内電極４０に接続される。貯水タンク７０内の洗浄液４４は、ポンプ１１の駆動時に、チューブ７３を流れてノズル内流路２３に送水される。洗浄液４４としては、水道水あるいは洗口剤等が用いられる。タンク内電極４０は、洗浄液４４に浸されているとき、洗浄液４４と電気的に接続される。このため、タンク内電極４０は、チューブ７３内の洗浄液４４および噴射ノズル部２２から吐出される洗浄液４４と電気的に接続される。
【００１９】
図５を参照して、口腔洗浄装置１の電気系の構成について説明する。
口腔洗浄装置１は、正電位電源ライン１５および負電位電源ライン１６を有する。正電位電源ライン１５は、二次電池１４の正電位出力に接続される。負電位電源ライン１６は、二次電池１４の負電位出力に接続される。把持部電極４１は、通電体４３を介して正電位電源ライン１５に接続される。
【００２０】
検知部３０は、オペアンプ３１、第１バイアス抵抗３２、第２バイアス抵抗３３、入力抵抗３４、および帰還抵抗３５を有する。検知部３０は、タンク内電極４０および正電位電源ライン１５の電気的な接続状態の変化を検知し、検知結果を制御部５０に出力する。
【００２１】
オペアンプ３１は、第１入力ノードｎ１、第２入力ノードｎ２、および出力ノードｎ３を有する。第１バイアス抵抗３２および第２バイアス抵抗３３は、正電位電源ライン１５と負電位電源ライン１６との間において互いに直列接続される。第１入力ノードｎ１は、第１バイアス抵抗３２および第２バイアス抵抗３３の接続点に接続される。第２入力ノードｎ２は、入力抵抗３４およびタイマー１２を介してタンク内電極４０に接続される。第２入力ノードｎ２は、帰還抵抗３５を介して出力ノードｎ３に接続される。
【００２２】
駆動部６０は、ポンプ１１の駆動に関連する状態である駆動関連状態が検知部３０の検知結果に応じて変化する。駆動部６０の駆動関連状態は、洗浄駆動状態および前置駆動状態を含む。駆動部６０の洗浄駆動状態は、口腔内洗浄時水量を噴射ノズル部２２から噴射するポンプ１１の駆動状態を示す。駆動部６０の前置駆動状態は、口腔内洗浄前の前置洗浄時水量を噴射ノズル部２２から吐出するポンプ１１の駆動状態を示す。口腔内洗浄時水量は１０００ｍｌ／ｍｉｎである。前置洗浄時水量は１０ｍｌ／ｍｉｎである。
【００２３】
口腔洗浄装置１は、タンク内電極４０および把持部電極４１の電気的な接続状態である接続関連状態が変化する。接続関連状態は、接続状態および切断状態を含む。接続状態は、タンク内電極４０および把持部電極４１が電気的に接続した状態を示す。切断状態は、タンク内電極４０および把持部電極４１が電気的に切断した状態を示す。タンク内電極４０および把持部電極４１の接続関連状態は、タンク内電極４０および把持部電極４１との間の電気抵抗である電極間抵抗に応じて変化する。
【００２４】
電極間抵抗は、使用者による口腔洗浄装置１の使用状態に応じて変化する。電極間抵抗は、使用者が把持部電極４１を把持していないとき、すなわち把持部電極４１の表面の全体が大気に触れているとき、基準抵抗以上の大きさを有する。電極間抵抗は、使用者が噴射ノズル部２２を口腔内に挿入していないとき、すなわち噴射ノズル部２２から吐出される洗浄液４４が人体に触れていないとき、基準抵抗以上の大きさを有する。電極間抵抗は、使用者が把持部電極４１を把持し、かつ噴射ノズル部２２を口腔内に挿入して、噴射ノズル部２２から吐出される洗浄液４４が口腔内１０２の歯および歯茎いずれか一方に接しているとき基準抵抗未満の大きさを有する。なお、人体の電気抵抗は、人体が有する導電率により決定される。人体の電気抵抗は、大気の電気抵抗よりも小さい。このため、噴射ノズル部２２から吐出される洗浄液４４および把持部電極４１がそれぞれ人体と接触することにより、電極間抵抗が基準抵抗未満の大きさを有する。
【００２５】
タンク内電極４０および把持部電極４１の接続関連状態は、電極間抵抗が基準抵抗以上の大きさを有するとき、切断状態を形成する。すなわち、噴射ノズル部２２から吐出される洗浄液４４が人体と接していないとき、または把持部電極４１の全体が大気に触れているとき、タンク内電極４０および把持部電極４１が切断状態を形成する。
【００２６】
タンク内電極４０および把持部電極４１の接続関連状態は、電極間抵抗が基準抵抗未満の大きさを有するとき、接続状態を形成する。すなわち、噴射ノズル部２２から吐出される洗浄液４４および把持部電極４１がそれぞれ人体と接触しているとき、接続状態を形成する。
【００２７】
検知部３０の検知状態は、タンク内電極４０および把持部電極４１の接続関連状態に応じて変化する。検知部３０の検知状態は、第１検知状態および第２検知状態を含む。第１検知状態および第２検知状態は、出力電位が互いに異なる。
【００２８】
検知部３０は、タンク内電極４０および把持部電極４１が切断状態を形成するとき、第１検知状態を形成する。検知部３０の第１検知状態は、オペアンプ３１の第２入力ノードｎ２の電位が、正電位電源ライン１５の電位および出力ノードｎ３の電位のうちの出力ノードｎ３の電位のみに依存して動作する状態を示す。検知部３０は、第１検知状態を形成するとき、第１電位を制御部５０に出力する。
【００２９】
検知部３０は、タンク内電極４０および把持部電極４１が接続状態を形成するとき、第２検知状態を形成する。検知部３０の第２検知状態は、オペアンプ３１の第２入力ノードｎ２の電位が、正電位電源ライン１５の電位および出力ノードｎ３の電位の双方の電位に依存して動作する状態を示す。検知部３０は、第２検知状態を形成するとき、第２電位を制御部５０に出力する。
【００３０】
制御部５０は、検知部３０が第１電位を出力するとき、駆動部６０の駆動関連状態として前置駆動状態を選択する。すなわち、口腔洗浄装置１は、噴射ノズル部２２から前置洗浄時水量の洗浄液４４を吐出する。制御部５０は、検知部３０が第２電位を出力するとき、駆動部６０の駆動関連状態として洗浄駆動状態を選択する。すなわち、口腔洗浄装置１は、噴射ノズル部２２から口腔内洗浄時水量の洗浄液４４を噴射する。
【００３１】
図５を参照して、口腔洗浄装置１の作用について説明する。
使用者は、次の手順で口腔洗浄装置１を使用する。使用者は、ノズル本体部２０のノズル把持部２１を握り、電源スイッチをオンにする。このとき、使用者の手１０１が把持部電極４１に接触する。このとき、噴射ノズル部２２から吐出される洗浄液４４は人体とは接触していない。このため、タンク内電極４０および把持部電極４１が切断状態を形成する。このため、検知部３０が第１検知状態を形成する。このため、検知部３０が第１電位を出力する。このため、駆動部６０が前置駆動状態を形成する。
【００３２】
使用者は、口腔内の洗浄を開始するとき、噴射ノズル部２２を口腔内１０２に挿入する。このとき、噴射ノズル部２２から吐出される洗浄液４４は、口腔内１０２に吐出され、口腔内の歯および歯茎のいずれか一方と電気的に接続される。このため、タンク内電極４０および把持部電極４１の接続関連状態が切断状態から接続状態に変化する。すなわち、タンク内電極４０および把持部電極４１が使用者の体内１００の経路を介して電気的に接続される。このため、検知部３０の検知状態が第１検知状態から第２検知状態に変化する。このため、検知部３０の出力電位が第１電位から第２電位に変化する。このため、駆動部６０の駆動関連状態が前置駆動状態から洗浄駆動状態に変化する。タイマー１２は、タンク内電極４０および把持部電極４１の接続関連状態が接続状態に変化してから所定時間が経過すると、接続関連状態を接続状態から切断状態に変化させる。このため、駆動部６０の駆動関連状態が洗浄駆動状態から前置駆動状に変化する。使用者は、口腔内の洗浄を終了するとき、噴射ノズル部２２を口腔外に取り出し、電源スイッチをオフにする。
【００３３】
本実施形態の口腔洗浄装置１は、以下の効果を奏する。
（１）口腔洗浄装置１は、タンク内電極４０、把持部電極４１、検知部３０、および制御部５０を有する。タンク内電極４０および把持部電極４１は、噴射ノズル部２２が口腔内１０２に挿入されたとき、電気的に接続される。検知部３０は、タンク内電極４０および把持部電極４１の間の電極間抵抗に応じて出力電位を変化させる。制御部５０は、検知部３０の出力電位に応じて駆動部６０を制御する。この構成によれば、噴射ノズル部２２が口腔内１０２に挿入されていないとき、駆動部６０が前置駆動状態を形成する。一方、噴射ノズル部２２が口腔内１０２に挿入されているとき、駆動部６０が洗浄駆動状態を形成する。このため、駆動部６０の駆動にともない洗浄液が飛散することが抑制される。
【００３４】
（２）駆動部６０の駆動関連状態は、タンク内電極４０および把持部電極４１の接続関連状態に応じて変化する。このため、電源スイッチにより駆動部の状態を変化させる従来の口腔洗浄装置とは異なり、口腔洗浄装置１の使用時において使用者の手による洗浄開始の操作が不要になる。このため、利便性が向上する。
【００３５】
（３）口腔洗浄装置１は、使用者が噴射ノズル部２２を口腔内１０２に挿入することにより、タンク内電極４０および把持部電極４１の接続関連状態が変化する。このため、使用者は、通常の口腔内洗浄時に行う操作のみで、駆動部６０の前置駆動状態および洗浄駆動状態を切り替えることができる。このため、従来の口腔洗浄装置からスイッチに関する構造が変化したことに起因して、使用感が低下することが抑制される。
【００３６】
（第２実施形態）
第２実施形態の口腔洗浄装置１は、第１実施形態の口腔洗浄装置１と比較して次の部分において異なる構成を有し、その他の部分において同一の構成を有する。第１実施形態の口腔洗浄装置１と共通する構成については同一の符号を付して、その説明の一部または前部を省略する。
【００３７】
第１実施形態の噴射ノズル部２２は、内部にノズル内流路２３を有する耐熱性プラスチックにより形成されている（図３参照）。一方、第２実施形態の噴射ノズル部８０は、内部にノズル内流路２３を有する耐熱性プラスチックにより形成された噴射ノズル部８０の先端部に導電性の噴射ノズル先端部４２を有する（図６参照）。
【００３８】
噴射ノズル部８０は、図６に示される構成を有する。噴射ノズル部８０は、ノズル内流路２３の内壁および噴射ノズル部８０の先端部表面を覆う部分に導電性の噴射ノズル先端部４２を有する。噴射ノズル先端部４２は、貯水タンク７０内の洗浄液４４がノズル内流路２３の内壁を覆う噴射ノズル先端部４２に達する状態まで送水されたときに、タンク内電極４０と電気的な接続状態となる。このとき、タンク内電極４０および把持部電極４１の電気的な接続状態は、噴射ノズル先端部４２および把持部電極４１の電気的な接続状態に応じて変化する。
【００３９】
駆動部６０の前置駆動状態は、貯水タンク７０内の洗浄液４４がノズル内流路２３の内壁を覆う噴射ノズル先端部４２に達するようポンプ１１を駆動する状態を示す。
図７を参照して、口腔洗浄装置１の作用について説明する。
【００４０】
使用者は、口腔洗浄装置１を使用するとき、ノズル本体部２０のノズル把持部２１を握り、電源スイッチをオンにする。このとき、使用者の手１０１が把持部電極４１に接触する。このとき、噴射ノズル先端部４２は大気に接触している。このため、タンク内電極４０および把持部電極４１が切断状態を形成する。このため、検知部３０が第１検知状態を形成する。このため、検知部３０が第１電位を出力する。このため、駆動部６０が前置駆動状態を形成する。
【００４１】
使用者は、口腔内の洗浄を開始するとき、噴射ノズル部８０を口腔内１０２に挿入する。このとき、噴射ノズル先端部４２を、口腔内の歯および歯茎のいずれか一方に押し当てる。このため、噴射ノズル先端部４２は、口腔内の歯および歯茎のいずれか一方と電気的に接続される。このため、タンク内電極４０および把持部電極４１の接続関連状態が切断状態から接続状態に変化する。すなわち、タンク内電極４０および把持部電極４１が使用者の体内１００の経路を介して電気的に接続される。このため、検知部３０の検知状態が第１検知状態から第２検知状態に変化する。このため、検知部３０の出力電位が第１電位から第２電位に変化する。このため、駆動部６０の駆動関連状態が前置駆動状態から洗浄駆動状態に変化する。洗浄駆動状態においては、噴射ノズル部８０から噴射される洗浄液４４は、口腔内と接触している。このため、噴射ノズル先端部４２と口腔内部位の歯および歯茎との接触が解除された状態においても、洗浄駆動状態は維持される。タイマー１２は、タンク内電極４０および把持部電極４１の接続関連状態が接続状態に変化してから所定時間が経過すると、接続関連状態を接続状態から切断状態に変化させる。このため、駆動部６０の駆動関連状態が洗浄駆動状態から前置駆動状態に変化する。
【００４２】
使用者は、噴射ノズル部８０からの洗浄液４４による口腔内の洗浄を終了するとき、噴射ノズル部８０を口腔外に取り出し、電源スイッチをオフにする。
本実施形態の口腔洗浄装置１は、第１実施形態口腔洗浄装置１が奏する（１）から（３）に準じた効果、すなわち洗浄液の飛散を抑制する旨の効果、使用者の利便性が向上する旨の効果、およびその他の種々の効果を奏する。また、口腔洗浄装置１は以下の効果を奏する。
【００４３】
（４）駆動部６０は、前置駆動状態において、貯水タンク７０内の洗浄液４４がノズル内流路２３の内壁を覆う噴射ノズル先端部４２に達するようポンプ１１を駆動する。口腔洗浄装置１は、噴射ノズル先端部４２が口腔内のいずれかの部位に接触したとき、タンク内電極４０および把持部電極４１を電気的に接続する。検知部３０は、タンク内電極４０および把持部電極４１の間の電極間抵抗の変化を検知する。制御部５０は、検知部３０の検知結果に応じて駆動部６０を駆動する。この構成によれば、口腔洗浄装置１の使用時において、噴射ノズル先端部４２を口腔内の歯および歯茎のいずれか一方に押し当てることにより、口腔洗浄装置１が洗浄動作を開始する。このため、従来の口腔洗浄装置からスイッチに関する構造が変化したことに起因して、使用感が低下することが抑制される。
【００４４】
（第３実施形態）
第３実施形態の口腔洗浄装置１は、第２実施形態の口腔洗浄装置１と比較して次の部分において異なる構成を有し、その他の部分において同一の構成を有する。第１実施形態の口腔洗浄装置１と共通する構成については同一の符号を付して、その説明の一部または前部を省略する。
【００４５】
第２実施形態の噴射ノズル部８０は、ノズル内流路２３の内壁および噴射ノズル部８０の先端部表面を覆う部分に導電性の噴射ノズル先端部４２を有する（図６参照）。一方、第３実施形態の噴射ノズル部９０は、噴射ノズル部電極４５および噴射ノズル部通電体４６を有する（図８参照）。
【００４６】
噴射ノズル部９０は、図８に示される構成を有する。噴射ノズル部９０は、先端部の周囲に噴射ノズル部電極４５を有する。噴射ノズル部電極４５は、噴射ノズル部通電体４６によりノズル本体部２０に電気的に導かれる。噴射ノズル部通電体４６は、ノズル本体部２０において通電体４３と接続される。通電体４３は、噴射ノズル部電極４５をタイマー１２に接続する。通電体４３は、把持部電極４１を検知部３０に接続する。
【００４７】
検知部３０の検知状態は、噴射ノズル部電極４５および把持部電極４１の接続関連状態に応じて変化する。噴射ノズル部電極４５および把持部電極４１の接続関連状態は、噴射ノズル部電極４５および把持部電極４１との間の電気抵抗である電極間抵抗に応じて変化する。電極間抵抗は、使用者による口腔洗浄装置１の使用状態に応じて変化する。
【００４８】
駆動部６０は、ポンプ１１の駆動に関連する状態である駆動関連状態が検知部３０の検知結果に応じて変化する。駆動部６０の駆動関連状態は、洗浄駆動状態および停止状態を含む。駆動部６０の洗浄駆動状態は、口腔内洗浄時水量を噴射ノズル部９０から噴射するポンプ１１の駆動状態を示す。駆動部６０の停止状態は、ポンプ１１の駆動を停止する状態を示す。
【００４９】
図９を参照して、口腔洗浄装置１の作用について説明する。
使用者は、口腔洗浄装置１を使用するとき、ノズル本体部２０のノズル把持部２１を握り、噴射ノズル部９０を口腔内に挿入する。このとき、使用者の手１０１が把持部電極４１に接触する。このとき、噴射ノズル部電極４５は大気に接触している。このため、噴射ノズル部電極４５および把持部電極４１が切断状態を形成する。このため、検知部３０が第１検知状態を形成する。このため、検知部３０が第１電位を出力する。このため、駆動部６０が停止状態を形成する。
【００５０】
使用者は、噴射ノズル部９０による口腔内の洗浄を開始するとき、噴射ノズル部９０を歯および歯茎のいずれか一方に押し当てる。このため、噴射ノズル部電極４５は、歯および歯茎のいずれか一方と電気的に接続される。このため、噴射ノズル部電極４５および把持部電極４１の接続関連状態が切断状態から接続状態に変化する。すなわち、噴射ノズル部電極４５および把持部電極４１が使用者の体内１００の経路を介して電気的に接続される。このため、検知部３０の検知状態が第１検知状態から第２検知状態に変化する。このため、検知部３０の出力電位が第１電位から第２電位に変化する。このため、駆動部６０の駆動関連状態が停止状態から洗浄駆動状態に変化する。洗浄駆動状態においては、噴射ノズル部９０から噴射される洗浄液４４を介して、噴射ノズル部電極４５は、歯および歯茎のいずれか一方と電気的に接続される。このため、噴射ノズル部９０と歯および歯茎のいずれか一方との接触が解除された状態においても動作状態は維持される。タイマー１２は、噴射ノズル部電極４５および把持部電極４１の接続関連状態が接続状態に変化してから所定時間が経過すると、接続関連状態を接続状態から切断状態に変化させる。このため、駆動部６０の駆動関連状態が洗浄駆動状態から停止状態に変化する。
【００５１】
使用者は、口腔内の洗浄を終了するとき、噴射ノズル部９０を口腔外に取り出し、電源スイッチをオフにする。
本実施形態の口腔洗浄装置１は、第１実施形態および第２実施形態の口腔洗浄装置１が奏する（１）から（４）に準じた効果、すなわち洗浄液の飛散を抑制する旨の効果、使用者の利便性が向上する旨の効果、およびその他の種々の効果を奏する。
【００５２】
（その他の実施形態）
本口腔洗浄装置は、第１実施形態〜第３実施形態以外の実施形態を含む。以下、口腔洗浄装置１のその他の実施形態としての第１実施形態〜第３実施形態以外の変形例を示す。なお、以下の各変形例は、互いに組み合わせることもできる。
【００５３】
・第３実施形態の口腔洗浄装置１は、噴射ノズル部９０に設けられた噴射ノズル部電極４５およびノズル把持部２１に設けられた把持部電極４１を有する。一方、変形例の口腔洗浄装置１は、噴射ノズル部９０に備えられ第１噴射ノズル部電極および第２噴射ノズル部電極を有する。
【００５４】
口腔洗浄装置１の使用時に、使用者は、噴射ノズル部９０を口腔内１０２に挿入する。このとき、第１噴射ノズル部電極および第２噴射ノズル部電極は、接続関連状態が切断状態を形成する。このため、駆動部６０が停止状態に保持される。
【００５５】
使用者は、噴射ノズル部９０による口腔内の洗浄を開始するとき、噴射ノズル部９０を歯または歯茎に押し当てる。このとき、第１噴射ノズル部電極および第２噴射ノズル部電極は、歯および歯茎の少なくとも一方と電気的に接続される。このため、第１噴射ノズル部電極および第２噴射ノズル部電極は、接続関連状態が接続状態を形成する。このため、検知部３０は、第２の動作状態により動作する。このため、駆動部６０が駆動する。タイマー１２は、第１噴射ノズル部電極および第２噴射ノズル部電極の接続関連状態が接続状態に変化してから所定時間が経過すると、接続関連状態を接続状態から切断状態に変化させる。このため、駆動部６０の駆動関連状態が動作状態から停止状態に変化する。
【００５６】
使用者は、噴射ノズル部９０からの洗浄液４４による口腔内の洗浄を終了するとき、噴射ノズル部９０を口腔外に取り出し、電源スイッチをオフにする。
本実施形態の口腔洗浄装置１は、第３実施形態の口腔洗浄装置１が奏する（１）から（４）に準じた効果、すなわち洗浄液の飛散を抑制する旨の効果、使用者の利便性が向上する旨の効果、およびその他の種々の効果を奏する。
【００５７】
・第１〜第３実施形態の口腔洗浄装置１は、検知部３０の入力部にタイマー１２を有する。一方、変形例の口腔洗浄装置１は、制御部５０にタイマーを有する。検知部３０の検知結果に応じた駆動部６０の駆動関連駆動関連状態を、制御部５０のタイマーにより制御する。このため、駆動部６０の駆動関連駆動関連状態が所定期間経過すると変化する。
【００５８】
・第１〜第３実施形態の口腔洗浄装置１は、噴射ノズル部２２、８０、および９０から噴射される口腔内洗浄時水量が１０００ｍｌ／ｍｉｎである。一方、変形例の口腔洗浄装置１は、噴射ノズル部２２、８０、および９０の口腔内洗浄時水量が５００ｍｌ／ｍｉｎ〜２０００ｍｌ／ｍｉｎである。
【００５９】
・第１実施形態の口腔洗浄装置１は、噴射ノズル部２２からの前置洗浄時の吐出水量が１０ｍｌ／ｍｉｎである。一方、変形例の口腔洗浄装置１は、噴射ノズル部２２からの前置洗浄時の吐出水量が５ｍｌ／ｍｉｎ〜２００ｍｌ／ｍｉｎである。
【００６０】
・第３実施形態の口腔洗浄装置１は、駆動部６０の駆動関連状態が、洗浄駆動状態および停止状態を含む。一方、変形例の口腔洗浄装置１は、駆動部６０の駆動関連状態が、洗浄駆動状態および前置駆動状態を含む。噴射ノズル部電極４５および把持部電極４１の接続関連状態が接続状態を形成するとき、駆動部６０の駆動関連状態は、洗浄駆動状態を形成する。噴射ノズル部電極４５および把持部電極４１の接続関連状態が切断状態を形成するとき、駆動部６０の駆動関連状態は、前置駆動状態を形成する。
【００６１】
・第１〜第３実施形態の口腔洗浄装置１は、洗浄器本体部１０およびノズル本体部２０がチューブ７３および通電体４３により接続される構成を有する。一方、変形例の口腔洗浄装置１は、洗浄器本体部１０への取り付けおよび洗浄器本体部１０からの取り外しが可能なノズル本体部２０の構成を有する。
【００６２】
・第１〜第３実施形態の口腔洗浄装置１は、正電位電源ライン１５および負電位電源ライン１６が二次電池１４に接続されている。一方、変形例の口腔洗浄装置１は、正電位電源ライン１５および負電位電源ライン１６が、電源部１３が備える電圧発生部に接続されている。
【００６３】
・第１〜第３実施形態の口腔洗浄装置１は、チューブ７３の通電体埋込部７５に通電体４３が埋め込まれている。一方、変形例の口腔洗浄装置１は、図１０（ｂ）に示されるように、チューブ７３に通電体４３が埋め込まれている。
【００６４】
・第１〜第３実施形態の口腔洗浄装置１は、チューブ７３の通電体埋込部７５に通電体４３が埋め込まれている。一方、変形例の口腔洗浄装置１は、図１０（ｃ）に示されるように、チューブ７３の内外円の間にチューブ７３と同心円状に通電体４３が埋め込まれている。
【００６５】
・第１〜第３実施形態の口腔洗浄装置１は、チューブ７３の通電体埋込部７５に通電体４３が埋め込まれている。一方、変形例の口腔洗浄装置１は、図１０（ｄ）に示されるように、チューブ７３に取り付けられたガイド７６に通電体４３が固定されており、チューブ７３と通電体４３が並走している。
【００６６】
・第１〜第３実施形態のノズル本体部２０は、把持部電極４１がブッシング２４および第１Ｏリング２５により通電体４３と接続されている。一方、変形例のノズル本体部２０は、図１１に示されるように、把持部電極４１がねじ２６により通電体４３と接続されている。
【符号の説明】
【００６７】
１、…口腔洗浄装置、１２…タイマー、２０…ノズル本体部、２１…ノズル把持部、２２…噴射ノズル部、３０…検知部、４０…タンク内電極、４１…把持部電極、４４…洗浄液、４５…噴射ノズル部電極、５０…制御部、６０…駆動部、７０…貯水タンク、８０…噴射ノズル部、９０…噴射ノズル部。
【図１】
2014030547.tif 000003
【図２】
2014030547.tif 000004
【図３】
2014030547.tif 000005
【図４】
2014030547.tif 000006
【図５】
2014030547.tif 000007
【図６】
2014030547.tif 000008
【図７】
2014030547.tif 000009
【図８】
2014030547.tif 000010
【図９】
2014030547.tif 000011
【図１０】
2014030547.tif 000012
【図１１】
2014030547.tif 000013